(57)【要約】【課題】  画像データの検索を容易にする。【解決手段】  次の画像の再生要求部である第１の次画像再生要求部α、前の画像の再生要求部である第１の前画像再生要求部γの他に、飛び数Ｊの数だけ先の画像の再生要求部である第２の次画像再生要求部β、飛び数Ｊの数だけ前の画像の再生要求部である第２の前画像再生要求部δを設け、要求された画像を表示部１５に表示する。  また、再生が要求されている画像の他に１つ（又は飛び数Ｊの数だけ）前の画像と１つ（又は飛び数Ｊの数だけ）先の画像のサムネイルを重畳させて表示部１５に表示する。【選択図】  図１
2005295261.tif 000002
【特許請求の範囲】
【請求項１】
撮影して得られた画像データを、ＤＣＦ規格に準拠したファイル管理構造で記憶する画像記憶部と、
順次再生する画像データの飛び数を設定する飛び数設定手段と、
前記画像データを再生する表示部と、
前記表示部に表示された画像データの後に表示すべき画像の再生を要求する第１の次画像再生要求手段と、
前記表示部に表示された画像データの後に表示すべき画像の再生を要求する第２の次画像再生要求手段と、
前記第１の次画像再生要求手段により再生の要求があった際、前記ＤＣＦ規格に準拠した画像の並び順において、前記表示部に再生している画像データの１だけ前記並び順が後の画像データを前記表示部より表示させ、前記第２の次画像再生要求手段により再生の要求があった際、前記ＤＣＦ規格に準拠した画像の並び順において、前記表示部に再生している画像データの前記飛び数設定手段により設定された前記飛び数だけ前記並び順が後の前記画像データを前記表示部より表示させる表示手段と、
を具備したことを特徴とする電子カメラ装置。
【請求項２】
前記表示部に表示された画像データの後に表示すべき画像の再生を要求する第１の前画像再生要求手段と、
前記表示部に表示された画像データの後に表示すべき画像の再生を要求する第２の前画像再生要求手段と、
前記第１の前画像再生要求手段により再生の要求があった際、前記ＤＣＦ規格に準拠した画像の並び順において、前記表示部に再生している画像データの１だけ前記並び順が前の画像データを前記表示部より表示させ、前記第２の前画像再生要求手段により再生の要求があった際、前記ＤＣＦ規格に準拠した画像の並び順において、前記表示部に再生している画像データの前記飛び数設定手段により設定された前記飛び数だけ前記並び順が前の前記画像データを前記表示部より表示させる表示手段と、
を具備したことを特徴とする請求項１に記載の電子カメラ装置。
【請求項３】
前記第１の次画像再生要求手段と、前記第２の次画像再生要求手段と、前記第１の前画像再生要求手段と、前記第２の前画像再生要求手段とは異なる操作部であることを特徴とする請求項２記載の電子カメラ装置。
【請求項４】
前記第１の次画像再生要求手段と前記第２の次画像再生要求手段とは同一の操作部を介して再生要求が行われ、前記同一の操作部を介した再生要求が所定の時間内に１回である場合は前記第１の次画像再生要求手段が行われたとみなし、前記同一の操作部を介した再生要求が前記所定の時間内に少なくとも２回である場合は前記第２の次画像再生要求手段が行われたとみなして前記表示手段を実施することを特徴とする請求項１に記載の電子カメラ装置。
【請求項５】
前記第１の前画像再生要求手段と前記第２の前画像再生要求手段とは同一の操作部を介して再生要求が行われ、前記同一の操作部を介した再生要求が所定の時間内に１回である場合は前記第１の前画像再生要求手段が行われたとみなし、前記同一の操作部を介した再生要求が前記所定の時間内に少なくとも２回である場合は前記第２の前画像再生要求手段が行われたとみなして前記表示手段を実施することを特徴とする請求項２に記載の電子カメラ装置。
【請求項６】
前記第１の次画像再生要求手段と、前記第２の次画像再生要求手段と、前記第１の前画像再生要求手段と、前記第２の前画像再生要求手段は操作ボタン若しくはタッチパネルであることを特徴とする請求項２記載の電子カメラ装置。
【請求項７】
前記ＤＣＦ規格に準拠した画像の並び順は、ファイル番号情報、フォルダ情報、日付情報の中から少なくとも１つを利用して決定されることを特徴とする請求項１に記載の電子カメラ装置。
【請求項８】
撮影して得られた画像データを、ＤＣＦ規格に準拠したファイル管理構造で記憶する画像記憶部と、
前記画像データを再生する表示部と、
前記表示部に表示された画像データの後に表示すべき画像の再生を要求する次画像再生要求手段と、
前記次画像再生要求手段により再生の要求があった際、前記ＤＣＦ規格に準拠した画像の並び順において前記表示部に再生している画像データの１つ前記並び順が後の画像データと、２つ前記並び順が後の画像データとを重畳させた画像を前記表示部より表示させる表示手段と、
を具備したことを特徴とする電子カメラ装置。
【請求項９】
前記表示手段は、前記次画像再生要求手段により再生の要求があった際、前記表示部に再生している画像データと、前記ＤＣＦ規格に準拠した画像の並び順において前記表示部に再生している画像データの１つ前記並び順が後の画像データと、前記ＤＣＦ規格に準拠した画像の並び順において前記表示部に再生している画像データの２つ前記並び順が後の画像データとを重畳させた画像を前記表示部より表示させることを特徴とする請求項８に記載の電子カメラ装置。
【請求項１０】
前記ＤＣＦ規格に準拠した画像の並び順において前記表示部に再生している画像データと、前記ＤＣＦ規格に準拠した画像の並び順において前記表示部に再生している画像データの２つ前記並び順が後の画像データとはサムネール画像を利用すること特徴とする請求項８に記載の電子カメラ装置。
【請求項１１】
前記画像データが動画像の場合は、動画像の先頭フレームを利用することを特徴とする請求項１又は８記載の電子カメラ装置。
【請求項１２】
前記表示手段において、前記ＤＣＦ規格に準拠した画像の並び順において前記表示部に再生している画像データの２つ前記並び順が後の画像データは、前記表示部の中心より右側若しくは下側の位置で重畳され、前記ＤＣＦ規格に準拠した画像の並び順において前記表示部に再生している画像データは、前記表示部の中心より左側若しくは上側の位置で重畳されることを特徴とする請求項８に記載の電子カメラ装置。
【請求項１３】
前記表示手段において、前記表示部より表示される画像データは、前記重畳された画像データの表示後、所定時間経過後は、前記次画像再生要求手段により再生の要求があった際、前記ＤＣＦ規格に準拠した画像の並び順において前記表示部に再生している画像データの１つ前記並び順が後の画像データのみを表示させることを特長とする請求項８に記載の電子カメラ装置。
【発明の詳細な説明】
【技術分野】
【０００１】
この発明は、電子カメラ装置に係り、特に記録された画像データを順次再生する再生手段を有した電子カメラ装置に関する。
【背景技術】
【０００２】
デジタル記録媒体に静止画像を記録するデジタルスチルカメラは、被写体の構図を決定するため、撮像素子をモニター用の読み出し動作で撮像信号を読み出し、この信号にモニター用の信号処理をして、これを表示部に表示する。これにより構図を決めた後、撮影時には撮像素子より全画素を読み出した上、静止画の信号処理を行い、通常はデータ圧縮の上、デジタル記録媒体に記録する。これを再生する場合、記録媒体より選択された画像ファイルの画像データを読み出し、これに付帯しているデータ、例えば縦横の画素数、圧縮情報などを元に、伸張処理を行って表示部に再生する。通常は、カメラの表示部全体に選択された１画像が再生表示される。また、再生画像切替え機能として、前画像、次画像と２方向の選択手段を有していたり、縦３行・横３列の９画像、あるいは縦４行・横４列の１６画像、といったような複数の同じ大きさの画像を格子状に並べて、同時表示させる機能を有していたりしており、ユーザが見たい画像を素早く探すのに利用される（例えば特許文献１参照）。
【特許文献１】特開２００２−１８５８４１号公報（第８頁、図１参照）
【発明の開示】
【発明が解決しようとする課題】
【０００３】
上述のように、電子カメラ装置において再生を行う場合、カメラの表示部全体に選択された１画像が再生表示される。
【０００４】
一方、記録媒体の容量は、年々増えてきており、これに従って記録可能な撮影枚数も増えている。今後更に記録媒体の記憶容量が増えていくと、記録媒体にどのような画像データを記録しているかを完全に把握することは非常に困難となる。また、ユーザの探している画像データが当該電子カメラ装置に記録されていることが分かっていても、これを探し出て表示させるまでに多くの時間がかかることも考えられる。
【０００５】
本発明は上記問題を解決するためになされたもので、従来に無い新たな画像再生手段を設けることで、画像データの検索を容易にすることができる電子カメラ装置を提供することを目的としている。
【課題を解決するための手段】
【０００６】
上記目的を達成するために、本発明に係る電子カメラ装置は、撮影して得られた画像データを、ＤＣＦ規格に準拠したファイル管理構造で記憶する画像記憶部と、順次再生する画像データの飛び数を設定する飛び数設定手段と、前記画像データを再生する表示部と、前記表示部に表示された画像データの後に表示すべき画像の再生を要求する第１の次画像再生要求手段と、前記表示部に表示された画像データの後に表示すべき画像の再生を要求する第２の次画像再生要求手段と、前記第１の次画像再生要求手段により再生の要求があった際、前記ＤＣＦ規格に準拠した画像の並び順において、前記表示部に再生している画像データの１だけ前記並び順が後の画像データを前記表示部より表示させ、前記第２の次画像再生要求手段により再生の要求があった際、前記ＤＣＦ規格に準拠した画像の並び順において、前記表示部に再生している画像データの前記飛び数設定手段により設定された前記飛び数だけ前記並び順が後の前記画像データを前記表示部より表示させる表示手段と、を具備したことを特徴としている。
【０００７】
また、本発明に係る電子カメラ装置は、撮影して得られた画像データを、ＤＣＦ規格に準拠したファイル管理構造で記憶する画像記憶部と、前記画像データを再生する表示部と、前記表示部に表示された画像データの後に表示すべき画像の再生を要求する次画像再生要求手段と、前記次画像再生要求手段により再生の要求があった際、前記ＤＣＦ規格に準拠した画像の並び順において前記表示部に再生している画像データの１つ前記並び順が後の画像データと、２つ前記並び順が後の画像データとを重畳させた画像を前記表示部より表示させる表示手段とを具備したことを特徴としている。
【発明の効果】
【０００８】
画像データの検索を容易にすることができる。
【発明を実施するための最良の形態】
【０００９】
（第１の実施の形態）
以下に、本発明による電子カメラ装置１の第１の実施の形態を図１乃至図４を参照して説明する。図１は本発明による電子カメラ装置の第１の実施の形態を示すブロック図である。この電子カメラ装置１は、撮像部１０と、制御部１１と、記憶部１２と、操作部１４と、表示部１５とを主たる構成要素としている。また、撮像部１０と、記憶部１２と、操作部１４と、表示部１５は、それぞれ制御部１１と接続されている。
【００１０】
次に、各要素の構成を説明する。
【００１１】
撮像部１０は、撮影された被写体の光学像を電気的な画像信号に変換する。この撮像部１０から出力された画像信号は、ＣＰＵ（Ｃｅｎｔｒａｌ  Ｐｒｏｃｅｓｓｉｎｇ  Ｕｎｉｔ）を内蔵した制御部１１に供給される。
【００１２】
制御部１１は、記憶部１２の記憶領域及び格納されたプログラムを利用して、入力された画像信号に所定の信号処理を施した後、記録媒体１３に、ＤＣＦ（Ｄｅｓｉｇｎ  ｒｕｌｅ  ｆｏｒ  Ｃａｍｅｒａ  Ｆｉｌｅ  ｓｙｓｔｅｍ）規格に対応したファイル管理構造で保存している。
【００１３】
記憶部１２は、データを格納する領域であり、制御部１１が行う制御プログラムや、制御部１１の処理で行われたデータを一時的に記憶したりする。また、後述する飛び数Ｊと、操作時間Ｔも記憶部１２に記憶される。
【００１４】
記録媒体１３は、撮像部１０が撮影した画像ファイルをＤＣＦ規格に対応したファイル管理構造で保存する。尚、記録媒体１３は、電子カメラ装置１に対して着脱自在であっても良いし、電子カメラ装置１に内蔵する構成としても良い。
【００１５】
操作部１４は、ユーザにより電子カメラ装置１に対する命令を入力する部分であり、少なくとも第１の次画像再生要求部α、第２の次画像再生要求部β、第１の前画像再生要求部γ、第２の前画像再生要求部δを有する。
【００１６】
ここで、第１の次画像再生要求部αとは、これが選択された際、表示部１５に表示していた画像ファイル（ここでは、「現表示ファイルＤ」と称することとする。）を基準として１つ先の画像ファイルの再生を指示する再生要求部である。第２の次画像再生要求部βとは、現表示ファイルＤを基準として、後述する飛び数Ｊの数だけ先（後）の画像ファイルの再生を指示する再生要求部である。同様に、第１の前画像再生要求部γとは、現表示ファイルＤを基準として１つ前の画像ファイルの再生を指示する再生要求部であり、第２の前画像再生要求部δとは、現表示ファイルＤを基準として後述する飛び数Ｊの数だけ前の画像ファイルの再生を指示する再生要求部である。尚、ここでは上記４つの再生要求部を総して再生要求部α−δと称することとする。
【００１７】
表示部１５は、撮像部１０が撮影する画像を表示したり、記録媒体１３に記憶されている画像ファイルを操作部１４を介した操作要求により再生したりする他、後述する再生の設定状況を表示したりもする。
【００１８】
次に、本発明の適用されるファイル管理構造の基本例について説明する。
【００１９】
図２は、本発明のファイルの管理構造の基本例を示した図である。図２におけるファイルは全てＤＣＦ規格に準拠した構成となっている。即ち、記録媒体１３のルートディレクトリの直下には、ＤＣＩＭというディレクトリが存在する。撮影されたデータは、このディレクトリ内に、「１００ＴＯＳＨＩ」のように、頭３桁の数字（１００〜９９９）と、開発元が独自にＤＯＳ（Ｄｉｓｋ  Ｏｐｅｒａｔｉｏｎｇ  Ｓｙｓｔｅｍ）で使用可能な後ろの５文字で構成されたディレクトリが作成され、その中にＰＤＲ＿０００１．ＪＰＧのように、開発元が独自にＤＯＳで使用可能な頭４文字と４桁の数字（０００１〜９９９９）で構成されたファイルとして保存される。これはＤＣＦの規格で決められている事柄であり、異なるメーカー間で静止画（又は動画）が正しく再生できるのは、この取り決めが遵守されているからである。
【００２０】
次に、本発明の電子カメラ装置１において、撮影された画像ファイルを再生する方法を図３を用いて説明する。図３は、本発明の第１の実施の形態における再生要求部α−δのいずれか１つが選択された場合の電子カメラ装置１の処理の流れを示した図である。
【００２１】
まず、電子カメラ装置１の制御部１１は、電子カメラ装置１が再生モードに設定されたか否かを判断する（ステップＳ１０１）。即ち、ユーザにより操作部１４内の図示せぬモード設定部において画像の再生モードの選択がされたか否かを判断する。
【００２２】
これにより、制御部１１は再生モードが選択されていないと判断した場合は（ステップＳ１０１のＮｏ）、この選択がされるまで上記判断を継続することとなる。一方、制御部１１は再生モードが選択されたと判断した場合は（ステップＳ１０１のＹｅｓ）、制御部１１は表示部１５に画像ファイルの再生をさせる（ステップＳ１０２）。即ち、制御部１１は、記録媒体１３よりステップＳ１０１の段階において選択されていた画像ファイルに関するデータを読み出し、記憶部１２に一時的に記憶させる。そして、この画像ファイルに付帯しているデータ、例えば縦横の画素数、圧縮情報などを元に、伸張処理を施し、表示部１５に再生させる。表示部１５は、伸張処理が施された画像ファイルを表示部１５全体に再生表示する。尚、ステップＳ１０２の段階で、以前に画像が選択されていなかった場合は、後述するようにＤＣＦ規格に準拠したファイル名等の順番により一番初めの画像ファイルを選択するように構成しても良い。
【００２３】
次に、制御部１１は、ユーザにより再生要求部α−δのいずれか１つが選択されたか否かを判断する（ステップＳ１０３）。即ち、制御部１１は、第１の次画像再生要求部α、第２の次画像再生要求部β、第１の前画像再生要求部γ、第２の前画像再生要求部δの中の１の再生要求部が選択されたか否かを判断する。この結果、再生要求部α−δのいずれか１つが選択されなかったと判断した場合は（ステップＳ１０３のＮｏ）、これらのいずれか１つが選択されるまで上記判断を継続することとなる。
【００２４】
一方、制御部１１は再生要求部α−δのいずれか１つが選択されたと判断した場合には（ステップＳ１０３のＹｅｓ）、次にその選択された再生要求部が第１の次画像再生要求部α又は第２の次画像再生要求部βであるか否かを判断する（ステップＳ１０４）。その結果、制御部１１は選択された再生要求部が第１の次画像再生要求部α又は第２の次画像再生要求部βではないと判断された場合は（ステップＳ１０４のＮｏ）、後述するステップＳ１２０の処理を行う。
【００２５】
一方、制御部１１は選択された再生要求部が第１の次画像再生要求部α又は第２の次画像再生要求部βであると判断した場合は（ステップＳ１０４のＹｅｓ）、この選択された再生要求部が第１の次画像再生要求部αであるか否かを判断する（ステップＳ１０５）。
【００２６】
その結果、制御部１１は選択された再生要求部が第１の次画像再生要求部αであると判断した場合は（ステップＳ１０５のＹｅｓ）、次の画像を再生する（ステップＳ１０６）。即ち、制御部１１は、現表示ファイルＤを基準として１つ先の画像ファイルに関するデータを読み出し、記憶部１２に一時的に記憶させる。そして、この画像ファイルに付帯しているデータ、例えば縦横の画素数、圧縮情報などを元に、伸張処理を施し、表示部１５に再生させる。表示部１５は、伸張処理が施された画像ファイルを表示部１５全体に再生表示する。
【００２７】
ここで、１つ先の画像ファイルとは、例えば、図示せぬモード選択部により、画像の表示順序を日付順で表示するように設定した際は、現表示ファイルＤを基準にして次に撮影日付が新しい日付をもつ画像ファイルのことをいう。同様に、図示せぬモード選択部により、画像の表示順序をＤＣＦ規格に準拠した名前順（ファイル番号順）とした際は、現表示ファイルＤが格納されているフォルダと同じファイル番号を持つフォルダ内から現表示ファイルＤのファイル番号より次に大きな名前を有する画像ファイルのことをいう。尚、同じフォルダ番号に大きなファイル番号がない場合には、次に大きなフォルダ番号の１番小さなファイル番号を１つ先の画像ファイルとする。
【００２８】
例えば、図２において、現表示ファイルＤをＰＤＲ＿００１２．ＪＰＧとすると、第１の次画像再生要求部αの選択によりよりＰＤＲ＿００１３．ＪＰＧの画像が再生される。
【００２９】
上述の１つ先の画像ファイルを表示部１５に再生表示することで本処理は終了する。
【００３０】
一方、制御部１１は選択された再生要求部が第１の次画像再生要求部αではないと判断した場合は（ステップＳ１０５のＮｏ）、飛び数Ｊを確認する（ステップＳ１１０）。即ち、制御部１１は第２の次画像再生要求部βが選択されたと判断された際には、記憶部１２に記憶されている飛び数Ｊを確認する。
【００３１】
次に、飛び数Ｊの数だけ先の画像ファイルの再生を行う（ステップＳ１１１）。即ち、制御部１１は、現表示ファイルＤを基準として飛び数Ｊの数だけ先の画像ファイルに関するデータを読み出し、記憶部１２に一時的に記憶させる。そして、この画像ファイルに付帯しているデータ、例えば縦横の画素数、圧縮情報などを元に、伸張処理を施し、表示部１５に再生させる。表示部１５は、伸張処理が施された画像ファイルを表示部１５全体に再生表示する。
【００３２】
ここで、飛び数Ｊの数だけ先の画像ファイルとは、例えば、図示せぬモード選択部により、画像の表示順序を日付順で表示するように設定した際は、現表示ファイルＤを基準にして飛び数Ｊの数だけ次に撮影日付が新しい日付をもつ画像ファイルのことをいう。同様に、図示せぬモード選択部により、画像の表示順序をＤＣＦ規格に準拠した名前順（ファイル番号順）とした際は、現表示ファイルＤが格納されているフォルダと同じ名前を持つフォルダ内から現表示ファイルＤのファイル番号より飛び数Ｊの数だけ次に大きなファイル番号を有する画像ファイルのことをいう。尚、同じフォルダ番号に大きなファイル番号がない場合には、次に大きなフォルダ番号の中から数えて飛び数Ｊの数だけ次に大きなファイル番号を飛び数Ｊの数だけ先の画像ファイルとする。
【００３３】
例えば、図２において、現表示ファイルＤをＰＤＲ＿００１２．ＪＰＧとし、飛び数Ｊを５とすると、フォルダ１０１ＴＯＳＨＩのＰＤＲ＿０００５．ＪＰＧが再生される。
【００３４】
さて、ステップＳ１０４において、制御部１１は選択された再生要求部が第１の次画像再生要求部α又は第２の次画像再生要求部βでないと判断した場合は（ステップＳ１０４のＮｏ）、この選択された再生要求部が第１の前画像再生要求部γであるか否かを判断する（ステップＳ１２０）。
【００３５】
その結果、制御部１１は選択された再生要求部が第１の前画像再生要求部γであると判断した場合は（ステップＳ１２０のＹｅｓ）、前の画像を再生する（ステップＳ１２１）。即ち、制御部１１は、現表示ファイルＤを基準として１つ前の画像ファイルに関するデータを読み出し、記憶部１２に一時的に記憶させる。そして、この画像ファイルに付帯しているデータ、例えば縦横の画素数、圧縮情報などを元に、伸張処理を施し、表示部１５に再生させる。表示部１５は、伸張処理が施された画像ファイルを表示部１５全体に再生表示する。
【００３６】
ここで、１つ前の画像ファイルとは、例えば、図示せぬモード選択部により、画像の表示順序を日付順で表示するように設定した際は、現表示ファイルＤを基準にして次に撮影日付が古い日付をもつ画像ファイルのことをいう。同様に、図示せぬモード選択部により、画像の表示順序をＤＣＦ規格に準拠した名前順（ファイル番号順）とした際は、現表示ファイルＤが格納されているフォルダと同じ名前を持つフォルダ内から現表示ファイルＤのファイル番号より次に小さなファイル番号を有する画像ファイルをいう。尚、同じフォルダ番号に小さなファイル番号がない場合には、次に小さなフォルダ番号の１番大きなファイル番号を１つ前の画像ファイルとする。例えば図２において、現表示ファイルＤをＰＤＲ＿００１２．ＪＰＧとすると、ＰＤＲ＿００１１．ＪＰＧが再生される。
【００３７】
上述の１つ前の画像ファイルを表示部１５に再生表示することで本処理は終了する。
【００３８】
一方、制御部１１は選択された再生要求部が第１の前画像再生要求部γではないと判断した場合は（ステップＳ１２０のＮｏ）、飛び数Ｊを確認する（ステップＳ１３０）。即ち、制御部１１は第２の前画像再生要求部δが選択されたと判断された際には、記憶部１２に記憶されている飛び数Ｊを確認する。
【００３９】
次に、飛び数Ｊの数だけ前の画像ファイルの再生を行う（ステップＳ１３１）。即ち、制御部１１は、現表示ファイルＤを基準として飛び数Ｊの数だけ前の画像ファイルに関するデータを読み出し、記憶部１２に一時的に記憶させる。そして、この画像ファイルに付帯しているデータ、例えば縦横の画素数、圧縮情報などを元に、伸張処理を施し、表示部１５に再生させる。表示部１５は、伸張処理が施された画像ファイルを表示部１５全体に再生表示する。
【００４０】
ここで、飛び数Ｊの数だけ前の画像ファイルとは、例えば、図示せぬモード選択部により、画像の表示順序を日付順で表示するように設定した際は、現表示ファイルＤを基準にして飛び数Ｊの数だけ撮影日付が古い日付をもつ画像ファイルのことをいう。同様に、図示せぬモード選択部により、画像の表示順序をＤＣＦ規格に準拠した名前順（ファイル番号順）とした際は、現表示ファイルＤが格納されているフォルダと同じ名前を持つフォルダ内から現表示ファイルＤのファイル番号より飛び数Ｊの数だけ小さなファイル番号を有する画像ファイルをいう。尚、同じフォルダ番号に小さなファイル番号がない場合には、次に小さなフォルダ番号の中から数えて飛び数Ｊの数だけ次に小さなファイル番号を飛び数Ｊの数だけ前の画像ファイルとする。例えば、現表示ファイルＤをＰＤＲ＿００１２、飛び数Ｊを５とすると、ＰＤＲ＿０００２．ＪＰＧが再生される。
【００４１】
上述の前の画像ファイルを表示部１５に再生表示することで本処理は終了する。
【００４２】
このように、従来の電子カメラ装置において設けられていた１つ先、あるいは１つ前の画像を再生する第１の次画像再生要求部α、第１の前画像再生要求部γの他に、飛び数Ｊを設定する手段と、これに応じて第２の次画像再生要求部β及び第２の前画像再生要求部δを設けることで任意の数だけ先（あるいは前）の画像ファイルを表示部１５から表示させることが可能となる。ここでファイル番号は同じフォルダー内では、原則として撮影順に番号が大きくなるようなファイル名を有する。
【００４３】
従って、たとえ一度第２の次画像再生要求部βを選択して所望の画像ファイルが検索できなかったとしても、当該飛び数Ｊ枚後の画像ファイルより相当後の画像ファイルであれば再度第２の次画像再生要求部βを選択して検索すればよいし、上記第２の次画像再生要求部βによって比較的近い撮影時のファイルであれば、第１の次画像再生要求部αや第１の前画像再生要求部γを選択することで容易に所望の画像ファイルが検索できることとなる。
【００４４】
従って、今後更に記録媒体１３の記憶容量が増えていき、記録媒体１３にどのような画像データを記録しているかを覚えていない場合でも画像データの検索を容易にすることができる。
【００４５】
（第１の実施の形態の変形例）
図４（ａ）は、電子カメラ装置１の実施形態の一例を示した図である。また、図４（ｂ）は図４（ａ）の操作部の一部を拡大した図である。
【００４６】
上述してきた第１の実施の形態は以下のような変形例も考えられる。
【００４７】
まず、再生要求部α−δは図４（ｂ）のようにそれぞれ独立した操作部を有するようにしても良いが、図４（ｃ）のように第１の次画像再生要求部αと第２の次画像再生要求部β、第１の前画像再生要求部γと第２の前画像再生要求部δは同じ操作部であっても良い。即ち、図４（ｃ）において、再生要求部αβの選択が所定時間内に１回のみであったと判断した場合は、第１の次画像再生要求部αが選択されたものと判断し、複数回であったと判断した場合は、第２の次画像再生要求部βが選択されたと判断するようにしても良い。同様に、再生要求部γδの選択が所定時間内に１回のみのであったと判断した場合は、第１の前画像再生要求部γが選択されたものと判断し、複数回であったと判断した場合は、第２の前画像再生要求部δが選択されたと判断するようにしても良い。尚、この所定時間とは操作時間Ｔとして記憶部１２に記憶しておき、これを利用するようにすることで実現できる。
【００４８】
次に、図４では再生要求部α−δをキー入力方式により構成しているが、本発明はこれに限定されず、図６に示すようにタッチパネル方式であってっても良い。この場合、表示部１５をタッチパネルで構成し、この表示部１５に図６（ａ）のように再生要求部α−δを表示させるようにしても良い。尚、再生要求部α−δは図６（ａ）のようにそれぞれ独立した操作領域を有するようにしても良いが、図６（ｂ）のように第１の次画像再生要求部αと第２の次画像再生要求部β、第１の前画像再生要求部γと第２の前画像再生要求部δは同じ操作領域とした再生要求部αβ、再生要求部γδであっても良い。この場合には、図６（ｂ）において、再生要求部αβを所定時間内に１回のみの選択があったと判断した場合は、第１の次画像再生要求部αが選択されたものと判断し、所定時間内に複数回の選択があったと判断した場合は、第２の次画像再生要求部βが選択されたと判断する等、図４（ｃ）と同様な制御を行うように構成しても良い。
【００４９】
次に、飛び数Ｊの設定においては、既述の飛び数Ｊは予め記憶部１２に記憶させたものであったが、この設定を、ユーザが所望の値に設定できる構成としても良い。図５は飛び数Ｊの設定画面の例を示したものである。この設定は、例えば表示部１５に飛び数Ｊを設定する画面を表示させ、図４の選択ボタンにより飛び数Ｊを増減させる設定が考えられる。
【００５０】
更に、飛び数Ｊの設定変更は、上述のように設定メニューを表示させて切り替えることも可能であるが、これを第２の次画像再生要求部β又は第２の前画像再生要求部δの選択回数で変化させるようにしても良い。即ち、第２の次画像再生要求部βを所定の時間内に１回選択すると、通常の飛び数Ｊの数分先の画像を再生し（既述したステップＳ１１１の再生）、所定時間内に複数回選択することで、一番大きなフォルダ番号の一番大きなファイル番号の画像を表示させるように構成しても良い。これにより瞬時に一番最近撮影した画像を確認できることとなる。一方、第２の前画像再生要求部δも同様に、所定時間内に１回選択すると、通常の飛び数Ｊの数分前の画像を再生し（既述したステップＳ１３１の再生）、所定時間内に複数回選択することで、一番小さなフォルダ番号の一番小さなファイル番号の画像を表示させるように構成しても良い。これにより瞬時に一番古い撮影画像を確認できることとなる。
【００５１】
（第２の実施の形態）
次に本発明における第２の実施の形態を図７〜１２を参照して説明する。図７は、本発明の第２の実施の形態における電子カメラ装置１の再生要求部α−δのいずれか１つが選択された場合の処理の流れを示した図である。
【００５２】
図７において、図３の電子カメラ装置１の処理の流れ図と、同一部分は同一記号で示し、その説明は省略する。図７において、図３と異なる点は、ステップＳ１０６、ステップＳ１１０、ステップＳ１２１、ステップＳ１３０の前に副映像表示設定Ｐが有効の設定がされているか否かの判断がある点（ステップＳ１０７、ステップＳ１１７、ステップＳ１２７、ステップＳ１３７）と、この判断の結果、副映像表示設定Ｐが有効の設定がされていると判断した場合には、副映像を重畳した再生がされる点（ステップＳ１０８、ステップＳ１１８、ステップＳ１２８、ステップＳ１３８）の２点である。
【００５３】
即ち、ステップＳ１０５において、制御部１１が第１の次画像再生要求部αが選択されたと判断した場合は（ステップＳ１０５のＹｅｓ）、次に、副映像表示設定Ｐが有効に設定されているか否かを判断する（ステップＳ１０７）。この副映像表示設定とは、次に再生する画像ファイル以外に他の画像ファイルを表示部１５に重畳して表示するか否かを設定する設定手段である。
【００５４】
この結果、副映像表示設定Ｐが有効の設定がされていないと判断した場合は（ステップＳ１０７のＮｏ）、第１の実施の形態と同様に、ステップＳ１０６の再生を実施する。
【００５５】
一方、副映像表示設定Ｐが有効の設定がされていると判断した場合には、（ステップＳ１０７のＹｅｓ）、制御部１１は現表示ファイルＤのサムネイルと次の画像ファイルと更に次の画像ファイルのサムネイル（現表示ファイルＤの２つ先の画像ファイルのサムネイル）とを重畳させた画像ファイルを表示部１５に再生させる（ステップＳ１０８）。即ち、制御部１１は、記録媒体１３より現表示ファイルＤの次の画像ファイルを記録媒体１３より読み出し、記憶部１２に一時的に記憶させる。更に、現表示ファイルＤのサムネール画像データと現表示ファイルＤから２つ先のサムネール画像データをも読み出して記憶部１２に一時的に記憶させる。尚、サムネールを利用するのは、これらは副画像として用いるため、主画像より小さい領域で十分だからであり、サムネイルデータを使えば、再生処理時間が短くて済むからである。尚、選択された画像が動画像である場合は、その動画像の先頭フレームを利用するように構成しても良い。
【００５６】
そして、これら３つの画像を重畳させて表示部１５に表示させる。  図８は、図２のファイル構造においてＰＤＲ＿０００１．ＪＰＧが現表示ファイルＤであり、この場合にステップＳ１０８を実施した例である。図８に示すように、制御部１１は、現表示ファイルＤを基準として１つ先の画像ファイルに関しては、表示部１５全体に表示させる一方、他の２つのサムネイルファイルは、例えば、現表示ファイルＤに関するサムネイルは、表示部１５の中心から左（図８（ｂ））あるいは上（図８（ａ））の方に表示部１５の一部として表示させる。同様に、現表示ファイルＤの２つ先に関するサムネイルファイルは、表示部１５の中心から右（図８（ｂ））あるいは下（図８（ａ））の方に表示部１５の一部として表示させる。
【００５７】
尚、図８は全体画像に対するサムネイル画像の位置は人間工学の観点から、表示部の左側若しくは上側が前画像、右側若しくは下側が次画像である例を示したの過ぎず、必ずしもこの位置に限定されるものではなく、表示部１５の一部に表示されるものであればどの位置でもかまわない。
【００５８】
図９は、図８（ａ）の状態から更に第１の次画像再生要求部αを選択した場合の画像を示した図である。
【００５９】
尚、ステップＳ１１７、ステップＳ１２７、ステップＳ１３７、ステップＳ１１８、ステップＳ１２８、ステップＳ１３８に関しても上述と同様な方法により表示部１５から重畳された画像を表示する手法をとるが、重複するためこの部分の説明を省略する。
【００６０】
このように、選択された画像ファイルだけでなく次の画像ファイルあるいは前の画像ファイルを重畳した画像を表示部１５から表示させることで、次に表示部１５全体に表示される画像を予め知ることが可能となる。従って次に表示部１５の全体に表示される画像が所望の画像ファイルであるか否かの概ねの判断が可能となり、その判断を効率化できる。
【００６１】
従って、画像データの検索を容易にすることができる。
【００６２】
（第２の実施の形態の変形例）
上述した画像の重畳は、現表示ファイルＤと現表示ファイルＤの次の画像及び更にその次の画像の合計３つの画像を重畳させていたが、本実施の形態はこれに限定されず、例えば図１０に示すようにサムネール画像の一方のみを重畳させるような構成としても良い。
【００６３】
即ち、例えば、第１の次画像再生要求部αを初めて選択した場合には３つの画像を重畳した図８のような画像を表示させ、引き続き第１の次画像再生要求部αを選択すする限りにおいては図１０（ａ）のように次の画像のサムネイルのみを表示させるようにしても良い。同様に、第１の前画像再生要求部γを初めて選択した場合には３つの画像を重畳した図８のような画像を表示させ、引き続き第１の前画像再生要求部γを選択する限りにおいては図１０（ｂ）のように前の画像のサムネイルのみを表示させるようにしても良い。
【００６４】
次に、副映像表示設定Ｐの設定は、ユーザが所望の設定に逐次設定できる構成とすれば効率が良い。図１１は副映像表示設定Ｐの設定画面の例を示したものである。この設定は、例えば表示部１５に副映像表示設定Ｐを設定する画面を表示させ、図４の選択ボタンにより副映像表示設定Ｐの有効・無効を任意に選択させるように構成することが考えられる。
【００６５】
更に、例えば、第１の次画像再生要求部αを初めて選択した場合には３つの画像を重畳した図８のような画像を表示させ、この重畳された画像データの表示後、所定時間経過後は、以下のように１つのサムネイルのみを重畳するような構成にしても良い。即ち、次に第１の次画像再生要求部αにより再生の要求があった際、現表示ファイルＤの１つ先の画像ファイルに重畳するサムネイルは、現表示ファイルＤの２つ先に関するサムネイルのみ（即ち、現表示ファイルＤに関するサムネイルは重畳しない）としても良い。
【図面の簡単な説明】
【００６６】
【図１】本発明による電子カメラ装置の実施の形態を示すブロック図。
【図２】本発明のファイルの管理構造の基本例を示した図。
【図３】本発明の第１の実施の形態における電子カメラ装置１の再生要求部α−δのいずれかが選択された場合の処理の流れを示した図。
【図４】電子カメラ装置１の実施形態の一例を示した図。
【図５】飛び数Ｊの設定変更を示した図。
【図６】再生要求部α−δをタッチパネルで実現した図。
【図７】本発明の第２の実施の形態における電子カメラ装置１の再生要求部α−δのいずれかが選択された場合の処理の流れを示した図。
【図８】重畳された画像を表示させた図。
【図９】図８（ａ）の状態から更に第１の次画像再生要求部αを選択した場合の画像を示した図。
【図１０】一方のサムネイルのみを重畳させた図。
【図１１】副映像表示設定Ｐの設定変更を示した図。
【符号の説明】
【００６７】
１  電子カメラ装置
１０  撮像部
１１  制御部
１２  記憶部
１３  記録媒体
１４  操作部
１５  表示部
Ｊ  飛び数
Ｐ  副映像表示設定
Ｔ  操作時間
α  第１の次画像再生要求部
β  第２の次画像再生要求部
γ  第１の前画像再生要求部
δ  第２の前画像再生要求部
【図１】
2005295261.tif 000003
【図２】
2005295261.tif 000004
【図３】
2005295261.tif 000005
【図４】
2005295261.tif 000006
【図５】
2005295261.tif 000007
【図６】
2005295261.tif 000008
【図７】
2005295261.tif 000009
【図８】
2005295261.tif 000010
【図９】
2005295261.tif 000011
【図１０】
2005295261.tif 000012
【図１１】
2005295261.tif 000013